(57)【要約】      （修正有）【課題】安価にノイズ低減効果の向上を図った空気調和機を提供する。【解決手段】室外冷媒回路１２、元電源１７に接続される室外電気機器１３、一部がアース１４された室外筐体１１、この室外筐体１１に配設された室外配管接続部１５を備えた室外ユニット１０と、室内冷媒回路２２、室内電気機器２３、室内筐体２１、この室内筐体２１に配設されて室内冷媒回路２２に接続される室内配管接続部２５を備えた室内ユニット２０と、を具備している。また、室外配管接続部１５と室内配管接続部２５とに接続された連絡配管３０ａ，３０ｂと、室外電気機器１３と室内電気機器２３とに連結されて一部が連絡配管３０ａ，３０ｂに並設される連絡電源線３１ａ，３１ｂを具備している。一部が連絡配管３０ａ，３０ｂに並設されて室外筐体１１に電気的に接続される共に、連絡電源線３１ａ，３１ｂにキャパシタ３２ｂを介して電気的に接続される導体配線３２を設けた。【選択図】図１
2015143598.tif 000002
【特許請求の範囲】
【請求項１】
圧縮機および室外熱交換器を有する室外冷媒回路、前記圧縮機を駆動する室外インバータおよびこの室外インバータの駆動を制御する室外制御回路を有し元電源に接続される室外電気機器、前記室外冷媒回路および室外電気機器を収容し一部がアースされた室外筐体、この室外筐体に配設されて前記室外冷媒回路に接続される室外配管接続部を備えた室外ユニットと、
室内熱交換器を有する室内冷媒回路、室内送風機、この室内送風機を駆動する室内インバータとこの室内インバータの駆動を制御する室内制御回路を有する室内電気機器、前記室内冷媒回路に電気的に接続され、前記室内電気機器を収容する室内筐体、この室内筐体に配設されて前記室内冷媒回路に接続される室内配管接続部を備えた室内ユニットと、
前記室外配管接続部と室内配管接続部とに接続されて前記室外冷媒回路と室内冷媒回路とを連結する連絡配管と、
前記室外電気機器と室内電気機器とに連結されて一部が前記連絡配管に並設される連絡電源線と、
を具備した空気調和機において、
一部が前記連絡配管に並設されて前記室外筐体に電気的に接続される共に、前記室内ユニット内で前記連絡電源線にキャパシタを介して電気的に接続される導体配線を設けたことを特徴とする空気調和機。
【請求項２】
前記導体配線は、前記室外ユニット内で前記室外筐体にキャパシタ又は抵抗を介して電気的に接続されていることを特徴とする請求項１記載の空気調和機。
【請求項３】
前記導体配線と連絡配管とにより形成される往復電気経路のインピーダンスは、前記連絡電源線と連絡配管とにより形成される往復電気経路のインピーダンスより低いことを特徴とする請求項１または２記載の空気調和機。
【請求項４】
前記室外制御回路と室内制御回路が通信する一対の通信モジュールを前記室外ユニットと室内ユニットにそれぞれ設けると共に、これら一対の通信モジュールどうしに接続される通信配線を前記導体配線に代えて設け、この通信配線を、前記室外筐体にキャパシタを介して電気的に接続すると共に、前記室内ユニット内で前記連絡電源線にキャパシタを介して電気的に接続していることを特徴とする請求項１記載の空気調和機。
【発明の詳細な説明】
【技術分野】
【０００１】
本発明の実施形態は、ノイズの低減を図った空気調和機に関する。
【背景技術】
【０００２】
従来、この種の空気調和機としては、室内機と室外機の電気機器同士を接続する電源母線と制御信号線に、コイルをそれぞれ直列に挿入してノイズの低減を図ったものが知られている（例えば、特許文献１参照）。
【０００３】
また、他の従来の空気調和機では、圧縮機モータのインバータ駆動に起因するノイズ電流を室外機の冷媒配管に伝搬させないように圧縮機の吸込側と吐出側の両側にて、この冷媒配管の途中に絶縁部材を直列に挿入している。さらに、この室外側の冷媒配管を室内側の冷媒配管に連結する内外連絡配管の途中にも絶縁部材を直列に挿入しているものがある（例えば、特許文献２参照）。
【先行技術文献】
【特許文献】
【０００４】
【特許文献１】特開２００５−８０３３７号公報
【特許文献２】特開２０１０−２８６２１５号公報
【発明の概要】
【発明が解決しようとする課題】
【０００５】
しかしながら、これら従来の空気調和機では、コモンモードノイズの抑制に用いるコモンモードチョークや絶縁配管等の部品が高価であるという課題があった。
【０００６】
本発明が解決しようとする課題は、安価にノイズ低減効果の向上を図った空気調和機を提供することにある。
【課題を解決するための手段】
【０００７】
実施形態の空気調和機は、圧縮機および室外熱交換器を有する室外冷媒回路、圧縮機を駆動する室外インバータおよびこの室外インバータの駆動を制御する室外制御回路を有し元電源に接続される室外電気機器、室外冷媒回路および室外電気機器を収容し一部がアースされた室外筐体、この室外筐体に配設されて室外冷媒回路に接続される室外配管接続部を備えた室外ユニットと、室内熱交換器を有する室内冷媒回路、室内送風機、この室内送風機を駆動する室内インバータとこの室内インバータの駆動を制御する室内制御回路を有する室内電気機器、室内冷媒回路に電気的に接続され、室内電気機器を収容する室内筐体、この室内筐体に配設されて室内冷媒回路に接続される室内配管接続部を備えた室内ユニットと、を具備している。
【０００８】
また、室外配管接続部と室内配管接続部とに接続されて室外冷媒回路と室内冷媒回路とを連結する連絡配管と、室外電気機器と室内電気機器とに連結されて一部が連絡配管に並設される連絡電源線と、を具備している。
【０００９】
さらに、一部が連絡配管に並設されて室外筐体に電気的に接続される共に、室内ユニット内で連絡電源線にキャパシタを介して電気的に接続される導体配線を設けた。
【図面の簡単な説明】
【００１０】
【図１】第１の実施形態の全体構成を示すブロック図。
【図２】図１で示す第１の実施形態の作用を示すブロック図。
【図３】第２の実施形態の全体構成を示すブロック図。
【図４】第３の実施形態の全体構成を示すブロック図。
【図５】第４の実施形態の全体構成を示すブロック図。
【発明を実施するための形態】
【００１１】
以下、実施形態を、図面を参照して説明する。なお、複数の図面中、同一又は相当部分には同一符号を付している。
【００１２】
（第１の実施形態）
図１は第１の実施形態の全体構成を示すブロック図である。この図１に示すように空気調和機１は、屋外に設置される室外ユニット１０と通常は被空調室に設置される室内ユニット２０を具備している。
【００１３】
室外ユニット１０は、室外筺体１１内に、室外冷媒回路１２と室外電気機器１３を収容している。室外筺体１１は後述するように一部が金属等の導電体により構成され、アース１４されている。
【００１４】
室外冷媒回路１２は、冷媒が充填されており、圧縮機１２ａ、室外熱交換器１２ｂ、図示省略の四方弁や膨張弁等を室外冷媒配管１２ｃにより接続している。圧縮機１２ａは例えば密閉容器内に圧縮機構と、この圧縮機構を駆動する電動機Ｍを収容した密閉型等に構成されている。この室外冷媒配管１２ｃの図１中上下一対の開放端は室外配管接続部（配管接続バルブ）１５に接続されて封止されている。この室外配管接続部１５は例えば金属等の導電体により構成されており、室外筺体１１に配設されている。
【００１５】
室外電気機器１３は、電源線１６により三相電源等の元電源１７に接続され、圧縮機１２ａのモータＭを可変速駆動する室外インバータ１３ａ、この室外インバータ１３ａの駆動時に発生する高調波等のノイズを低減するノイズフィルタの一例である室外ＥＭＩ（Ｅｌｅｃｔｒｏｎｉｃ  Ｍａｇｎｅｔｉｃ  Ｉｎｔｅｒｆａｃｅ）フィルタ１３ｂ、室外インバータ１３ａの駆動等を制御するマイクロコンピュータなどからなる室外制御回路１３ｃ、図示省略の室外送風機や各種温度センサ等の種々のセンサ等を具備している。
【００１６】
一方、室内ユニット２０は、室内筺体２１内に、室内冷媒回路２２と室内電気機器２３を収容している。室内筺体２１は、後述するように一部が金属等の導電体により構成されている。
【００１７】
室内冷媒回路２２は、冷媒が充填されており、室内熱交換器２２ａの冷媒の出入口に室内冷媒配管２２ｂを接続している。なお、室内冷媒配管２２ｂ及び室外冷媒配管１２ｃは、熱伝達率が高く、電気的に良導体である銅配管が使用される。この室内冷媒配管２２ｂの図１中上下一対の開放端には室内配管接続部２５が設けられている。室内冷媒配管２２ｂは、室外ユニット１０側と異なり、室内冷媒配管２２ｂの端部にはバルブ等はなく、室内配管接続部２５は、室内冷媒配管２２ｂの開放端にロウ付けされた真鍮製のハーフユニオンから構成される。そして、室内冷媒配管２２ｂの室内配管接続部２５は、後述する連絡配管３０ａ，３０ｂがフレアナット接続されるまでは解放した状態となっている。このため、室内配管接続部２５であるハーフユニオンの開放端は、室内冷媒配管２２ｂの内部にごみやほこりなどの異物が入り込まないようにゴム製等のキャップが取り付けられている。
【００１８】
この室内配管接続部２５近くには、室内筺体２１に固定された、例えば金属等の導電体により構成される室内配管固定具２４が設けられる。室内冷媒配管２２ｂは、室内配管接続部２５の近傍で、この室内配管固定具２４により室内筺体２１に固定され、電気的に導通するようになっている。
【００１９】
室内電気機器２３は、室内熱交換器２２ａに室内空気等を送風して熱交換の促進を図る室内送風機２３ａ、この室内送風機２３ａを可変速駆動する室内インバータ２３ｂ、このインバータ２３ｂの駆動時の高調波等のノイズを低減する室内ＥＭＩフィルタ２３ｃ、室外制御回路１３ｃと連携して室内インバータ２３ｂの駆動等を制御する室内制御回路２３ｄ、図示省略の各種温度センサ等の種々のセンサ等を具備している。
【００２０】
そして、室外ユニット１０の室外配管接続部１５と、室内ユニット２０の室内冷媒配管２２ｂの端部の室内配管接続部２５には、図１中上下一対の連絡配管３０ａ，３０ｂの両端がそれぞれ接続される。連絡配管３０ａ，３０ｂは、それぞれが同じ長さを有する単なる銅配管であり、一端が室外配管接続部１５のバルブにフレア加工されてフレアナットで接続され、他端も同様にフレア加工され、室内冷媒配管２２ｂの室内配管接続部２５であるハーフユニオンにフレアナットで接続される。
【００２１】
このために、室外冷媒回路１２と室内冷媒回路２２が一対の連絡配管３０ａ，３０ｂにより連結され、１つの冷凍サイクルに構成される。また、一連の冷凍サイクル配管は、電気的に導通するようになっている。
【００２２】
また、室外ユニット１０の電源線１６は、２線式の連絡電源線３１ａ，３１ｂを介して室内ユニット２０の室内ＥＭＩフィルタ２３ｃに接続されている。これにより、室内電気機器２３は連絡電源線３１ａ，３１ｂを介して元電源１７の２相に接続されるので、三相交流電源である元電源１７から単相電力を受電できる。この連絡電源線３１ａ，３１ｂは、その一部、すなわち、室外筺体１１と室内筺体２１との間に位置する一部を連絡配管３０ａ，３０ｂと所要の間隔を置いてほぼ平行に並設している。通常の施工においては、連絡配管３０ａ，３０ｂと連絡電源線３１ａ，３１ｂは、一体にしてテープ等で周囲を巻回されている。
【００２３】
そして、室外ユニット１０と室内ユニット２０間には、導体配線３２が設けられる。導体配線３２は、その室外ユニット１０の室外筺体１１内に延在する一端部（図１では左端部）を、第１のキャパシタ３２ａを介して室外筺体１１の金属製の底板１１ａ等に電気的に接続される。
【００２４】
また、導体配線３２は、その室内ユニット２０の室内筺体２１内に延在する他端部（図１では右端部）を、第２のキャパシタ３２ｂを介して一対の上記連絡電源線３１ａ，３１ｂの一方、例えば３１ｂに電気的に接続される。
【００２５】
導体配線３２は、その一部、すなわち、室外ユニット１０と室内ユニット２０との間に位置する部分を、同じく室外ユニット１０と室内ユニット２０との間に位置する連絡電源線３１の一部とほぼ平行するように並設している。すなわち、連絡配管３０ａ，３０ｂと連絡電源線３１ａ，３１ｂに加え、この導体配線３２も一緒にまとめてテープ等で周囲を巻回される。
【００２６】
図２は、このように構成された空気調和機１の作用を示す。すなわち、室外インバータ１３ａにより圧縮機１２ａが駆動されると、この室外インバータ１３ａの出力端においてコモンモード電圧が発生し、これに起因して圧縮機１２ａ内部の第１の浮遊容量３３ａを介してコモンモードノイズ電流が漏洩する。
【００２７】
さらに、このコモンモードノイズ電流は、連絡配管３０ａ，３０ｂと連絡電源線３１ａ，３１ｂとの間の第２の浮遊容量３３ｂ、連絡電源線３１ａ，３１ｂと導体配線３２との間の第２のキャパシタ３２ｂ、導体配線３２、この導体配線３２と室外筺体１１の間の第１のキャパシタ３２ａおよび室外筺体１１の底板１１ａをそれぞれ介してアース１４に流れる。
【００２８】
なお、上記連絡配管３０ａ，３０ｂと導体配線３２とにより形成される往復電気経路３３のインピーダンスは、上記連絡配管３０ａ，３０ｂと連絡電源線３１ａ，３１ｂとにより形成される往復電気経路のインピーダンスよりも低くなるように構成されている。前者の往復電気経路３３のインピーダンスの方が後者の往復電気経路のインピーダンスよりも低くなればなるほど、往復電気経路３３を介してアース１４に流れるコモンモードノイズ電流が多くなり、その分、連絡電源線３１ａ，３１ｂを介して元電源１７に流れるコモンモードノイズ電流は減少し、元電源１７で観測される雑音端子電圧ノイズの低減効果が高くなる。
【００２９】
（第２の実施形態）
図３は第２の実施形態に係る空気調和機１Ａの全体構成を示すブロック図である。この空気調和機１Ａは、上記空気調和機１の導体配線３２の室外ユニット１０側の一端部（図１，図３では左端部）を、第１のキャパシタ３２ａを介さずに導線３４により、直接室外筺体１１の底板１１ａに電気的に接続した点に特徴がある。この点以外の構成は図１で示す第１の実施形態に係る空気調和機１と同様である。
【００３０】
この空気調和機１Ａによっても、上記第１の実施形態に係る空気調和機１とほぼ同様の作用効果を奏することができる。
【００３１】
（第３の実施形態）
図４は第３の実施形態に係る空気調和機１Ｂの全体構成を示すブロック図である。この空気調和機１Ｂは、上記導体配線３２の第１のキャパシタ３２ａを抵抗３５に置換した点に特徴がある。この点以外の構成は図１で示す第１の実施形態に係る空気調和機１と同様である。
【００３２】
この空気調和機１Ｂによっても上記第１の実施形態に係る空気調和機１とほぼ同様の作用効果を奏することができる。
【００３３】
（第４の実施形態）
図５は第４の実施形態に係る空気調和機１Ｃの全体構成を示すブロック図である。この空気調和機１Ｃは、室内ユニット２０に室内通信モジュール３７を設けると共に、室外ユニット１０に室外通信モジュール３６を設け、これら室内，外通信モジュール３７，３６同士を通信配線３８により双方向通信可能に接続することにより上記導体配線３２を削除した点に特徴がある。
【００３４】
すなわち、室外通信モジュール３６は室外制御回路１３ｃに接続され、室内通信モジュール３７は室内制御回路２３ｄに接続されており、これら室内，外制御回路２３ｄ，１３ｃは、室内，外通信モジュール３７，３６と通信配線３８を介して双方向に通信することができる。
【００３５】
そして、通信配線３８は、その一部、すなわち、室外ユニット１０と室内ユニット２０との間に位置する部分を、室外ユニット１０と室内ユニット２０との間に位置する連絡電源線３１ａ，３１ｂの一部とほぼ平行になるように並設され、連絡配管３０ａ，３０ｂ、連絡電源線３１ａ，３１ｂ及び通信配線３８は、一緒にまとめてテープ等で周囲を巻回される。
【００３６】
また、通信配線３８は、その室内筺体２１内に延在する一端部（図５中右端部）を、第２のキャパシタ３２ｂを介して連絡電源線３１ａ，３１ｂの一方、例えば３１ｂに電気的に接続している。
【００３７】
また、通信配線３８は、その室外筺体１１内に延在する他端部（図５中左端部）を、第１のキャパシタ３２ａを介して室外筺体１１の底板１１ａに電気的に接続している。
【００３８】
したがって、この通信配線３８は、上記導体配線３２とほぼ同様にコモンモードノイズ電流が流れる往復電気経路３３を形成するので、このコモンモードノイズ電流をアース１４に流すことができる。
【００３９】
したがって、上記第１の実施形態に係る空気調和機１とほぼ同様の作用効果を奏することができるうえに、室内，外制御回路２３ｄ，１３ｃ同士の通信配線３８を上述の実施形態における導体配線３２と兼用することができ、部品点数の削減を図ることができる。
【００４０】
なお、室内機１の外郭は、電気的に導体ではないプラスチックで形成される場合もある。この場合には、図１の破線で示すように室内制御回路２３ｄを収納して、覆う金属製の電気部品箱２６を室内筐体２１とし、この電気部品箱２６を電気配線２７等で室内配管固定具２４と接続するなどして、室内冷媒配管２２ｂと電気部品箱２６を電気的に導通させることで同様の効果を得ることができる。なお、この場合には、ＥＭＩフィルタのアースは、電気部品箱２６に接続される。
【００４１】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００４２】
１，１Ａ，１Ｂ，１Ｃ…空気調和機、１０…室外ユニット、１１…室外筺体、１２…室外冷媒回路、１２ａ…圧縮機、１２ｂ…室外熱交換器、１２ｃ…室外冷媒配管、１３…室外電気機器、１３ａ…室外インバータ、１３ｂ…室外ＥＭＩフィルタ（ノイズフィルタ）、１３ｃ…室外制御回路、１４…アース、１５…室外配管接続部、１７…元電源、２０…室内ユニット、２１…室内筺体、２２…室内冷媒回路、２２ａ…室内熱交換器、２２ｂ…室内冷媒配管、２３…室内電気機器、２３ａ…室内送風機、２３ｂ…室内インバータ、２３ｃ…室内ＥＭＩフィルタ（ノイズフィルタ）、２３ｄ…室内制御回路、２４…室内配管固定具、２５…室内配管接続部、３０ａ，３０ｂ…上下一対の連絡配管、３１ａ，３１ｂ…一対の連絡電源線、３２…導体配線、３２ａ…第１のキャパシタ、３２ｂ…第２のキャパシタ、３３…往復電気経路、３５…抵抗、３６…室外通信モジュール、３７…室内通信モジュール、３８…通信配線。
【図１】
2015143598.tif 000003
【図２】
2015143598.tif 000004
【図３】
2015143598.tif 000005
【図４】
2015143598.tif 000006
【図５】
2015143598.tif 000007